(57)【要約】【課題】密閉蓋により開口及び注ぎ口を密閉することができる方向へ取鍋の注ぎ口を容易に指向させることができ、作業性を向上させた給湯装置及び給湯方法の提供。【解決手段】給湯装置１の給湯部１０と溶湯処理部４０とに渡るようにしてレール５０が設けられている。レール５０上には回転テーブル６０がレール５０に沿って移動可能に設けられている。回転テーブル６０は給湯部１０と溶湯処理部４０との間を行き来する。テーブル支持部６２には取鍋挟持部材６３、６３が設けられ、回転テーブル６０上に取鍋が載置されているときに、取鍋挟持部６３、６３によって取鍋の下部を挟むことにより、取鍋の軸心と回転テーブル６０の回転軸とを一致させる。また、回転テーブル６０に取鍋を載置させた状態で回転テーブル部６１を回転させることにより、取鍋の注ぎ口を所定の方向へ指向させる。【選択図】図１
2009154192.tif 000002
【特許請求の範囲】
【請求項１】
取鍋の開口を密閉可能な密閉蓋と、
該密閉蓋に取り付けられ、一端が溶解炉内の溶湯に浸漬し、他端が該取鍋の気相内で開口する給湯パイプと、
該取鍋の気相と連通して該取鍋内を真空に吸引する真空吸引手段と、
該密閉蓋を上下に昇降させる昇降手段とを有する給湯装置において、
回転軸を中心として回転可能であり該取鍋を載置可能な回転テーブルと、
該回転テーブルを回転させるための回転手段と、
該回転テーブル上で該回転軸と該取鍋の軸心とを一致させるように該回転テーブル上で該取鍋の位置を移動させる軸一致手段と、
該回転テーブル上において該取鍋が所定の回転位置に回転したことを検出するために該取鍋の被検出部を検出する回転位置検出手段とを備えることを特徴とする給湯装置。
【請求項２】
該回転テーブルと該回転手段とを一体で給湯部と溶湯処理部との間で移動させるための移動手段を有し、該回転テーブルは溶湯が給湯された該取鍋を該溶湯処理部に受渡し可能であることを特徴とする請求項１記載の給湯装置。
【請求項３】
請求項１又は請求項２記載の給湯装置を用いて該溶解炉から該取鍋へ給湯することを特徴とする給湯方法。
【発明の詳細な説明】
【技術分野】
【０００１】
本発明は溶解炉から取鍋へ溶湯を給湯するための給湯装置及び給湯方法に関する。
【背景技術】
【０００２】
従来より溶解炉から取鍋へ金属溶湯を給湯することが行われており、このために給湯装置が用いられている。給湯装置は、密閉蓋と、真空吸引装置と、管部材とを備えており、上部に開口を有する取鍋に対して金属溶湯を給湯する。密閉蓋は取鍋の開口を密閉可能である。管部材は、蓋部材を貫通するようにして蓋部材に取付けられ、一端が溶解炉内の溶湯に浸漬し、他端が取鍋の気相内で開口する。また、蓋部材には吸引用管部材が当該蓋部材を貫通するようにして取付けられており、真空吸引装置は、吸引用管部材を通して取鍋の気相と連通し、取鍋の気相内を真空引きすることができるように構成されている。このような給湯装置は、例えば、特開平９−２２０６６０号公報（特許文献１）に記載されている。
【特許文献１】特開平９−２２０６６０号公報
【発明の開示】
【発明が解決しようとする課題】
【０００３】
取鍋には、溶湯を注ぐための先細り形状をした注ぎ口が１つ設けられている。取鍋への給湯の際には、前述のように密閉蓋により取鍋の開口を密閉する必要があるが、このように開口を密閉するときには注ぎ口をも同時に密閉する必要がある。そこで、注ぎ口を密閉するための密閉蓋の部分に取鍋の注ぎ口を指向させた状態として、取鍋の開口及び注ぎ口を密閉蓋に対向させて密閉する必要がある。しかし、上述の給湯装置では、給湯時に注ぎ口を所定の方向へ指向させることは容易ではなく、作業効率の向上を図ることが困難であった。
【０００４】
そこで、本発明は、密閉蓋により開口及び注ぎ口を密閉することができる方向へ取鍋の注ぎ口を容易に指向させることができ、作業性を向上させた給湯装置及び給湯方法を提供することを目的とする。
【課題を解決するための手段】
【０００５】
上記目的を達成するために、本発明は、取鍋９０の開口９１ａを密閉可能な密閉蓋１１と、該密閉蓋１１に取り付けられ、一端が溶解炉内の溶湯に浸漬し、他端が該取鍋９０の気相内で開口する給湯パイプ１６と、該取鍋９０の気相と連通して該取鍋９０内を真空に吸引する真空吸引手段と、該密閉蓋１１を上下に昇降させる昇降手段１３、１５とを有する給湯装置１において、回転軸を中心として回転可能であり該取鍋９０を載置可能な回転テーブル６０と、該回転テーブル６０を回転させるための回転手段６２と、該回転テーブル６０上で該回転軸と該取鍋９０の軸心とを一致させるように該回転テーブル６０上で該取鍋９０の位置を移動させる軸一致手段６３と、該回転テーブル６０上において該取鍋９０が所定の回転位置に回転したことを検出するために該取鍋９０の被検出部９２ｂを検出する回転位置検出手段とを備える給湯装置１を提供している。
【０００６】
ここで、該回転テーブル６０と該回転手段６２とを一体で給湯部１０と溶湯処理部４０との間で移動させるための移動手段５０を有し、該回転テーブル６０は溶湯が給湯された該取鍋９０を該溶湯処理部４０に受渡し可能であることが好ましい。
【０００７】
また、本発明は、請求項１又は請求項２記載の給湯装置１を用いて該溶解炉から該取鍋９０へ給湯する給湯方法を提供している。
【発明の効果】
【０００８】
本発明の請求項１記載の給湯装置、請求項３記載の給湯方法によれば、回転軸を中心として回転可能であり取鍋を載置可能な回転テーブルと、回転テーブルを回転させるための回転手段と、回転テーブル上において取鍋が所定の回転位置に回転したことを検出するために取鍋の被検出部を検出する回転位置検出手段とを有するため、回転テーブル上で取鍋を回転させることができる。このため、取鍋の注ぎ口を所定の方向へ指向させることができ、取鍋へ給湯する際に、密閉蓋により取鍋の開口及び注ぎ口を密閉することができる方向へ容易に注ぎ口を指向させることができ、作業性を向上させることができる。
【０００９】
また、回転テーブル上で回転軸と取鍋の軸心とを一致させるように回転テーブル上で取鍋の位置を移動させる軸一致手段を備えるため、回転テーブルの回転軸と取鍋の軸心とを容易に一致させることができる。このため、回転テーブル上において取鍋を偏心した状態で回転させてしまうことを防止することができる。
【００１０】
また、請求項２記載の給湯装置、請求項３記載の給湯方法によれば、回転テーブルと回転手段とを一体で給湯部と溶湯処理部との間で移動させるための移動手段を有し、回転テーブルは溶湯が給湯された取鍋を溶湯処理部に受渡し可能であるため、給湯部において給湯された取鍋が溶湯処理部において溶湯処理されているときに、回転テーブルを給湯部へ戻して次に溶湯処理をおこなうための溶湯が給湯される取鍋を回転テーブル上に載置させておくことができる。このため、取鍋への溶湯の供給と取鍋内の溶湯に対する溶湯処理とを連続して行うことができ、作業性をより向上させることができる。また、給湯部と溶湯処理部とを互いに近い位置関係で配置させることにより、取鍋への給湯と溶湯処理とを行う給湯装置の小型化、省スペース化を図ることができる。
【発明を実施するための最良の形態】
【００１１】
本発明の実施の形態による給湯装置について図１乃至図２を参照しながら説明する。給湯装置１は取鍋９０に溶湯を給湯するためのものであり、図１に示されるように、給湯部１０と、溶湯処理部４０と、これら給湯部１０と溶湯処理部４０とに渡って配置されたレール５０と、図示せぬ真空吸引装置と、図示せぬ制御装置とを有している。
【００１２】
給湯部１０には、図２に示されるように、略板状をした密閉蓋１１が設けられている。密閉蓋１１の下面にはシール部材１２が設けられており、密閉蓋１１の下面が後述の取鍋９０の開口部９１Ａに当接したときに、取鍋９０の開口９１ａを密閉可能である。密閉蓋１１の上面には、鉛直上方へ延出する蓋ガイド１３が接続されており、溶湯部を構成する枠体１４からなる天板１４Ａを貫通し、鉛直上方へ延出している。天板１４Ａの上面には蓋昇降モータ１５が設けられており、蓋昇降モータ１５が駆動することより密閉蓋１１が鉛直方向へ上下可能である。蓋昇降モータ１５は昇降手段に相当する。
【００１３】
密閉蓋１１には図示せぬ給湯用貫通孔が形成されており、図示せぬ給湯用貫通孔には給湯パイプ１６が貫通している。後述のように密閉蓋１１が取鍋９０の開口９１ａ及び注ぎ口９１Ｂを密閉しているときに、給湯パイプ１６の図示せぬ一端は図示せぬ溶解炉内の溶湯に浸漬し、給湯パイプ１６の他端部１６Ａは、取鍋９０の気相内で開口する。また、密閉蓋１１には図示せぬ排気用貫通孔が形成されており、図示せぬ排気用貫通孔には、図示せぬ排気パイプが貫通している。図示せぬ排気パイプの一端は図示せぬ真空吸引装置に接続されている。図示せぬ排気パイプの他端部は、後述のように密閉蓋１１が取鍋９０の開口９１ａを密閉しているときに取鍋９０の気相内で開口する。図示せぬ真空吸引装置は真空吸引手段に相当する。
【００１４】
取鍋９０は、図２に示されるように軸心が鉛直方向へ指向する略円筒状をなす溶湯保持部９１と、溶湯保持部９１の下部において溶湯保持部９１を支持する取鍋支持部９２とを有している。溶湯保持部９１の下端は閉塞されて底面をなし、上端は全面に渡り開口９１ａが形成された開口部９１Ａをなしている。溶湯保持部９１の軸方向に垂直に切った溶湯保持部９１の下部の断面は真円をなす。溶湯保持部９１の開口部９１Ａの一部には、図２に示されるように、溶湯保持部９１の軸心から離間する方向へ先細りした形状をなす注ぎ口９１Ｂが設けられている。
【００１５】
取鍋支持部９２には、フォークリフトの一対のフォークを挿入可能な略水平方向へ延出する穴９２ａ、９２ａが一対形成されている。また、後述の図示せぬセンサによって検出される切欠き９２ｂが形成されている。切欠き９２ｂは、図２に示される位置と、図２に示される位置に対して溶湯保持部９１の軸心を中心とした直径方向の位置とに形成されている。切欠き９２ｂが設けられている部分は被検出部に相当する。
【００１６】
溶湯処理部４０には、図示せぬ溶湯処理装置が設けられており、図示せぬ溶湯処理装置は、図示せぬフラックス投入装置と、図示せぬ回転羽根および図示せぬガス吹出部を備えた図示せぬ攪拌機とを備えている。フラックス投入装置は取鍋９０内の溶湯に所定成分のフラックスを投入可能である。回転羽根およびガス吹出部を備えた攪拌機は、溶湯およびフラックスを攪拌し、溶湯中に混在する酸化物および介在物を溶湯から分離する。また、ガス吹出口から非酸化性ガスを吹込むことができるように構成されている。後述のように溶湯が給湯された取鍋９０が溶湯処理部４０に搬送されてきたときに、取鍋９０内の溶湯に対して、溶湯中に混在する酸化物および介在物を湯面に浮上させるとともに溶湯を脱ガス処理する溶湯処理を行うことができる。
【００１７】
レール５０は、図１に示されるように、給湯部１０と溶湯処理部４０とに渡って配置されており、レール５０上には回転テーブル６０がレール５０に沿って移動可能に設けられている。従ってレール５０と回転テーブル６０とでＬＭガイドを構成し、回転テーブル６０は給湯部１０と溶湯処理部４０との間を行き来することができるように構成されている。より具体的には、回転テーブル６０は回転テーブル部６１とテーブル支持部６２とを有しており、テーブル支持部６２はレール５０に対して摺動可能である。テーブル支持部６２には図示せぬモータ及びチェーンが設けられており、図示せぬモータが駆動してチェーンが駆動されることにより回転テーブル６０がレール５０に対して摺動するように構成されている。図示せぬモータは回転手段に相当する。レール５０及びテーブル支持部６２は移動手段に相当する。
【００１８】
回転テーブル部６１はテーブル支持部６２に対して回転可能に支承されており、その上部は、水平に指向し取鍋９０を載置可能なテーブル上面６１Ａを有している。テーブル上面６１Ａに、溶湯が給湯された取鍋９０を載置した状態で図示せぬモータが駆動することにより、回転テーブル６０が取鍋９０と共にレール５０上で給湯部１０から溶湯処理部４０へと移動するように構成されている。
【００１９】
レール５０の延出方向におけるテーブル支持部６２の一端部近傍及び他端部近傍には、円弧状をした側面６３Ａを有する取鍋挟持部材６３、６３が設けられている。取鍋挟持部材６３の側面６３Ａは、図１に示されるように、回転テーブル６０の回転軸に対して同軸的な円弧状をなしており、取鍋９０の底部の側面に面で当接可能である。取鍋挟持部材６３は、テーブル支持部６２上においてレール５０の延出方向に平行に指向して設けられたレール６４に沿ってレール６４上を摺動可能である。取鍋挟持部材６３には図示せぬモータがそれぞれ設けられており、図示せぬモータが駆動することにより、取鍋挟持部材６３はレール６４上を図１の左右方向へ摺動するように構成されている。後述のように回転テーブル６０上に取鍋９０が載置されているときに、一対の取鍋挟持部６３、６３が互いに接近し合う方向へ移動してゆき、取鍋９０の下部の側面に当接し、一対の取鍋挟持部６３、６３によって取鍋９０の下部を挟むことにより、後述のように取鍋９０の軸心と回転テーブル６０の回転軸とを一致させることができる。取鍋挟持部材６３は軸一致手段に相当する。
【００２０】
また、テーブル支持部６２には、図示せぬセンサが２つ設けられている。２つのセンサは取鍋９０の切欠き９２ｂを検出可能であり、切欠き９２ｂを検出することで、２つの図示せぬセンサのうちの一方は、後述のように取鍋９０が回転テーブル６０上に載置され密閉蓋１１が取鍋９０の開口９１ａ及び注ぎ口９１Ｂを密閉可能な位置（以下「密閉可能位置」とする）に取鍋９０が回転させられたことを検出可能である。２つの図示せぬセンサのうちの他方は、密閉可能位置の、取鍋９０の回転方向上流側５°の位置（以下「減速位置」とする）に取鍋９０が回転させられたことを検出可能である。センサは回転位置検出手段に相当する。
【００２１】
給湯部１０におけるレール５０の両脇、即ち、レール５０の図１に示される上側と下側の位置には、それぞれスクリュージャッキ６５、６５が計一対設けられている。スクリュージャッキ６５は図示せぬジャッキ部と上端面６５Ｂを有する取鍋載置部６５Ａとを有しており、取鍋載置部６５Ａの上端面６５Ｂには一時的に取鍋９０の縁部近傍部分を載置可能である。一対の取鍋載置部６５Ａ、６５Ａに取鍋９０の底面の図１に示される上側の縁部と下側の縁部とがそれぞれ載置されることにより、スクリュージャッキ６５、６５上において取鍋９０が一時的に支持されるように構成されている。
【００２２】
図示せぬジャッキ部は図示せぬモータを備えており、取鍋載置部６５Ａを鉛直方向へ上下させることができるように構成されている。取鍋載置部６５Ａを鉛直上方へ移動させ取鍋載置部６５Ａの上端面６５Ｂを回転テーブル６０のテーブル上面６１Ａよりも上方に位置させた状態として取鍋載置部６５Ａに取鍋９０を載置し、図示せぬモータを駆動させて取鍋載置部６５Ａを鉛直下方へ下降させて、取鍋載置部６５Ａの上端面６５Ｂを回転テーブル６０のテーブル上面６１Ａよりも下方に位置させた状態とすることで、取鍋載置部６５Ａの上端面６５Ｂから回転テーブル６０のテーブル上面６１Ａへの取鍋９０の受渡しができるように構成されている。
【００２３】
溶湯処理部４０におけるレール５０の両脇、即ち、レール５０の図１に示される上側と下側の位置にも、給湯部１０と同様にそれぞれスクリュージャッキ６６、６６が計一対設けられている。スクリュージャッキ６６は図示せぬジャッキ部と上端面６６Ｂを構成する取鍋載置部６６Ａとを有しており、取鍋載置部６６Ａの上端面６６Ｂには一時的に取鍋９０の縁部近傍部分を載置可能である。一対の取鍋載置部６６Ａ、６６Ａに取鍋９０の底面の図１に示される上側の縁部と下側の縁部とがそれぞれ載置されることにより、スクリュージャッキ６６、６６上において取鍋９０が一時的に支持されるように構成されている。
【００２４】
図示せぬジャッキ部は、図示せぬモータを備えており、取鍋載置部６６Ａを鉛直方向へ上下させることができるように構成されている。一対のスクリュージャッキ６６、６６間において回転テーブル６０のテーブル上面６１Ａ上に取鍋９０が載置された状態のときに、取鍋載置部６６Ａを鉛直下方へ移動させ取鍋載置部６６Ａの上端面６６Ｂを回転テーブル６０のテーブル上面６１Ａよりも下方に位置させた状態から、図示せぬモータを駆動させて取鍋載置部６６Ａを鉛直上方へ上昇させて、取鍋載置部６６Ａの上端面６６Ｂを回転テーブル６０のテーブル上面６１Ａよりも上方に位置させた状態とすることで、回転テーブル６０のテーブル上面６１Ａから取鍋載置部６６Ａの上端面６６Ｂへの取鍋９０の受渡しができるように構成されている。
【００２５】
図示せぬ制御装置は、回転テーブル６０を駆動するモータと、センサと、取鍋挟持部材６３を駆動するモータと、蓋昇降モータ１５と、スクリュージャッキ６５を駆動するモータと、回転テーブル６０をレール５０に沿って移動させるためのモータとに接続されている。センサからの信号に基づく図示せぬ制御装置からの指示によりこれら各モータが駆動するように構成されている。
【００２６】
給湯方法では、先ず、図示せぬフォークリフトの一対のフォークを取鍋９０の一対の穴９２ａ、９２ａに挿入して図示せぬフォークリフトにより取鍋９０を持上げて、給湯部１０へ運搬する。次に、給湯部１０のスクリュージャッキ６５、６５の一対の取鍋載置部６５Ａ、６５Ａの上端面６５Ｂ、６５Ｂに取鍋９０を載置し、スクリュージャッキ６５、６５のモータを駆動させて取鍋載置部６５Ａ、６５Ａを鉛直下方へ下げ、上端面６５Ｂ、６５Ｂを回転テーブル６０のテーブル上面６１Ａよりも鉛直下方の位置とする。このことによって、取鍋９０はテーブル上面６１Ａに載置される。
【００２７】
次に、取鍋挟持部材６３、６３の図示せぬモータを駆動させて一対の取鍋挟持部材６３、６３を互いに接近する方向へ移動させてゆき、取鍋９０の下部を一対の取鍋挟持部材６３、６３で挟むことにより、取鍋９０の溶湯保持部９１の軸心と回転テーブル６０の回転テーブル部６１の回転軸とを略一致させる。次に、取鍋挟持部材６３の図示せぬモータを駆動させて一対の取鍋挟持部材６３、６３を互いに離間する方向へ移動させてゆき、回転テーブル６０の回転テーブル部６１を回転軸を中心として１５°〜２０°程度回転させる。そして、回転が停止した後に、再度取鍋挟持部材６３、６３のモータを駆動させて一対の取鍋挟持部材６３、６３を互いに接近する方向へ移動させてゆき、取鍋９０の下部を一対の取鍋挟持部材６３、６３で挟むことにより、取鍋９０の溶湯保持部９１の軸心と回転テーブル６０の回転テーブル部６１の回転軸とを高い精度で一致させる。次に、取鍋挟持部材６３、６３の図示せぬモータを駆動させて一対の取鍋挟持部材６３、６３を互いに離間する方向へ移動させる。
【００２８】
次に、回転テーブル６０の図示せぬモータを駆動させることにより回転テーブル部６１を回転させてゆき、減速位置に取鍋９０が回転させられたことを検出したときに回転速度を落とし、さらに密閉可能位置に回転させられたことを検出したときに回転を停止させる。このとき、取鍋９０の注ぎ口９１Ｂは、図１の上方に指向した状態となっている。このため、後述のように取鍋９０へ給湯する際に、密閉蓋１１を下降させ取鍋９０取鍋の開口部９１Ａに当接させることで開口９１ａ及び注ぎ口９１Ｂを密閉することができ、作業性を向上させることができる。
【００２９】
次に、蓋昇降モータ１５を駆動させて密閉蓋１１を図２に示される状態から下降させてゆき、密閉蓋１１の下面をシール部材１２を介して取鍋９０の開口部９１Ａに当接させ、取鍋９０の開口９１ａ及び注ぎ口９１Ｂを密閉する。次に、図示せぬ真空吸引装置を駆動させ、取鍋９０内を真空とすることにより図示せぬ溶解炉内の金属溶湯を、給湯パイプ１６を通して取鍋９０内に給湯する。取鍋９０への所定量の溶湯の給湯が完了すると、図示せぬ真空吸引装置を駆動停止させ、蓋昇降モータ１５を駆動させて密閉蓋１１を上昇させて図２に示される状態とし、取鍋９０の開口部９１Ａを開放する。
【００３０】
次に、回転テーブル６０の図示せぬモータを駆動させることにより、回転テーブル６０をレール５０上でレール５０に沿って図１の右方向へ移動させてゆき、溶湯処理部４０に到達したときに、回転テーブル６０の図示せぬモータの駆動を停止させる。このレール５０上での移動中に、回転テーブル６０の図示せぬモータは回転テーブル部６１を回転させてゆき、図示せぬセンサにより取鍋９０が減速位置から１８０°回転した位置に回転させられたことを検出したときに回転速度を落とし、さらに密閉可能位置から１８０°回転した位置に回転させられたことを検出したときに回転を停止させる。従って、給湯部１０から溶湯処理部４０へ移動する間に取鍋９０は溶湯保持部９１の軸心を中心とした１８０°の回転を完了させる。
【００３１】
溶湯処理部４０に到達したときには、溶湯処理部４０のスクリュージャッキ６６の一対の取鍋載置部６６Ａの上端面６６Ｂは鉛直方向において回転テーブル６０のテーブル上面６１Ａよりも低い位置とされている。このため、取鍋９０が溶湯処理部４０に到達したときには取鍋９０は回転テーブル部６１の上面に載置された状態となっている。また、取鍋９０の注ぎ口９１Ｂは、図１の下方に指向した状態となっている。このような状態となっていることで、溶湯処理部４０における溶湯処理が完了した後に、図示せぬフォークリフトの一対のフォークを取鍋９０の一対の穴９２ａ、９２ａに挿入し、図示せぬダイカストマシンへと運搬して行ったときに、取鍋９０の注ぎ口９１Ｂが図示せぬ保持炉の方向へ指向する。
【００３２】
次に、スクリュージャッキ６６の図示せぬモータを駆動させて取鍋載置部６６Ａを鉛直上方へ上げ、取鍋載置部６６Ａの上端面６６Ｂを回転テーブル６０のテーブル上面６１Ａよりも鉛直上方の位置とする。このことによって、取鍋９０は取鍋載置部６６Ａの上端面６６Ｂに載置される。次に、溶湯処理を行う。溶湯処理では、取鍋９０内の溶湯に所定成分のフラックスを投入し、図示せぬ溶湯処理装置の回転羽根及びガス吹出部を備えた攪拌機を下降させ、回転羽根を取鍋９０内の溶湯の湯面直下に浸漬する。そして、回転羽根を回転させて溶湯およびフラックスを攪拌し、溶湯中に混在する酸化物および介在物を溶湯から分離する。次に、さらに攪拌機を下降させてガス吹出部および回転羽根を取鍋９０の底部近傍に位置させ、ガス吹出部から溶湯中に非酸化性ガスを吹込みつつ、回転羽根を回転させて非酸化性ガスを溶湯中に拡散する。このことにより、溶湯中に混在する酸化物および介在物を湯面に浮上させるとともに溶湯を脱ガス処理する。溶湯処理を行っている間に、回転テーブル６０はレール５０上を移動してゆき、給湯部１０へ戻る。以上が１回の給湯方法における工程であり、これらの工程を繰返すことにより、連続的に給湯及び溶湯処理を行うことができる。
【００３３】
次に、図示せぬフォークリフトの一対のフォークを取鍋９０の一対の穴９２ａ、９２ａに挿入して図示せぬフォークリフトにより取鍋９０を持上げて、図示せぬダイカストマシンへと運搬してゆき、取鍋９０内の溶湯はダイカストマシンの傍に設けられた保持炉へ注ぎ口９１Ｂを通して給湯される。このとき、注ぎ口９１Ｂは、図示せぬ保持炉の方向へ指向しているため、図示せぬフォークリフトの向きを変えてやる等して注ぎ口９１Ｂを図示せぬ保持炉の方向へ向けなおしてやる作業を省くことができ、作業性を向上させることができる。また、前述のように回転テーブル６０を有しているため、取鍋９０へ給湯する際に、容易に密閉蓋１１により取鍋９０の開口９１ａを密閉することができる方向へ注ぎ口９１Ｂを指向させることができ、作業性を更に向上させることができる。
【００３４】
また、回転テーブル６０上で回転テーブル部６１の回転軸と取鍋９０の溶湯保持部９１の軸心とを一致させるように回転テーブル６０上で取鍋９０の位置を移動させる取鍋挟持部材６３を備えるため、回転テーブル６０の回転軸と取鍋９０の軸心とを容易に一致させることができる。このため、回転テーブル６０上において取鍋９０を偏心した状態で回転させてしまうことを防止することができる。
【００３５】
また、溶湯が給湯された取鍋９０が回転テーブル６０に載置された状態で回転テーブル６０とテーブル支持部６２と図示せぬモータとを一体で給湯部１０から溶湯処理部４０へと移動可能であり、また、図示せぬ溶湯処理装置を備えており、取鍋９０が給湯部１０にあるときに取鍋９０の開口９１ａは密閉蓋１１により密閉され図示せぬ真空吸引装置により取鍋９０内が真空に吸引されて取鍋９０内に溶湯が給湯されるようにしたため、給湯部１０において給湯された取鍋９０が溶湯処理部４０において溶湯処理されているときに、回転テーブル６０を給湯部１０へ戻して次に溶湯処理をおこなうための溶湯が給湯される取鍋９０を回転テーブル６０上に載置させておくことができる。このため、取鍋９０への溶湯の供給と取鍋９０内の溶湯に対する溶湯処理とを連続して行うことができ、作業性をより向上させることができる。また、給湯部１０と溶湯処理部４０とは互いに近い位置関係で配置されているため、取鍋９０の給湯と溶湯処理とを行う給湯装置１の小型化、省スペース化を図ることができる。
【００３６】
本発明による給湯装置及び給湯方法は、上述した実施の形態に限定されず、特許請求の範囲に記載した範囲で種々の変形や改良が可能である。例えば、被検出部は取鍋９０の取鍋支持部９２に形成された切欠き９２ｂの部分により構成され、回転位置検出手段は切欠き９２ｂを検出するセンサにより構成されたが、被検出部、回転位置検出手段はこのような構成に限定されない。
【００３７】
また、取鍋９０は、給湯部１０から溶湯処理部４０へ移動する間に溶湯保持部９１の軸心を中心として１８０°回転したが、回転しなくてもよい。即ち、ダイカストマシンへの傍に設けられた図示せぬ保持炉の位置の関係で、溶湯処理部４０における溶湯処理が完了した後に、図示せぬフォークリフトの一対のフォークを取鍋９０の一対の穴９２ａ、９２ａに挿入したときに指向する注ぎ口９１Ｂの方向が、本実施の形態とは１８０°回転した位置に指向した状態で差し支えなければ回転させなくてよい。
【産業上の利用可能性】
【００３８】
本発明の給湯装置及び給湯方法は、溶解炉から取鍋へ溶湯を給湯するための給湯装置の分野において極めて有用である。
【図面の簡単な説明】
【００３９】
【図１】本発明の実施の形態による給湯装置を示す概略平面図。
【図２】本発明の実施の形態による給湯装置の給湯部を示す概略側面図。
【符号の説明】
【００４０】
１          給湯装置
１０        給湯部
１１        密閉蓋
１０        給湯パイプ
４０        溶湯処理部
５０        レール
６０        回転テーブル
６３        取鍋挟持部材
９１Ａ      開口部
９１Ｂ      注ぎ口
９１ａ      開口
９２ｂ      切欠き
【図１】
2009154192.tif 000003
【図２】
2009154192.tif 000004